(57)【特許請求の範囲】
【請求項１】
第１の情報処理装置に、
対象者のカルテ情報の表示要求を受け付け、
前記対象者についての前記カルテ情報に含まれる複数の項目に係る各々の情報が記憶される第１の記憶装置に記憶された少なくとも一つの項目に係る第１の情報および前記第１の情報の作成時点を示す第１の作成時点情報を取得し、
カルテ情報の更新が可能な第２の情報処理装置に設けられた第２の記憶装置から、前記少なくとも一つの項目に係る第２の情報および前記第２の情報の作成時点を示す第２の作成時点情報を取得し、
前記第１の情報と前記第２の情報とを比較し、前記第１の作成時点情報と前記第２の作成時点情報とを比較し、前記第１の情報と前記第２の情報が一致し前記第１の作成時点情報と前記第２の作成時点情報とが一致しない場合、前記少なくとも一つの項目についての前記カルテ情報の表示形態を、前記第１の情報と前記第２の情報とが一致し前記第１の作成時点情報と前記第２の作成時点情報とが一致する場合の表示形態とは異なる表示形態で表示させる、
処理を実行させることを特徴とする情報処理プログラム。
【請求項２】
前記表示させる処理では、
前記第１の情報と前記第２の情報が一致しない場合に、前記第２の情報で前記第１の情報を更新し、更新された情報が一致する場合とは異なる方法で表示させることを特徴とする請求項１に記載の情報処理プログラム。
【請求項３】
前記表示させる処理では、
前記第２の情報を反映させる対象となる前記第１の情報を表示することを特徴とする請求項１または２のいずれか一つに記載の情報処理プログラム。
【請求項４】
前記表示させる処理では、
前記第１の情報と前記第２の情報とを切り替えて表示することを特徴とする請求項３に記載の情報処理プログラム。
【請求項５】
第１の情報処理装置に、
対象者のカルテ情報の表示要求を、他の情報処理装置から受信し、
前記対象者についての前記カルテ情報に含まれる複数の項目に係る各々の情報が記憶される第１の記憶装置に記憶された少なくとも一つの項目に係る第１の情報および前記第１の情報の作成時点を示す第１の作成時点情報を取得し、
カルテ情報の更新が可能な第２の情報処理装置に設けられた第２の記憶装置から、前記少なくとも一つの項目に係る第２の情報および前記第２の情報の作成時点を示す第２の作成時点情報を取得し、
前記第１の情報と前記第２の情報とを比較し、前記第１の作成時点情報と前記第２の作成時点情報とを比較し、前記第１の情報と前記第２の情報が一致し前記第１の作成時点情報と前記第２の作成時点情報とが一致しない場合、前記少なくとも一つの項目についての前記カルテ情報の表示形態を、前記第１の情報と前記第２の情報とが一致し前記第１の作成時点情報と前記第２の作成時点情報とが一致する場合の表示形態とは異なる表示形態と、前記対象者に関する前記第１の情報と前記第２の情報のうち少なくともいずれかと、を前記他の情報処理装置に送信する、
処理を実行させることを特徴とする情報処理プログラム。
【請求項６】
産科用コンピュータに、
特定の患者についてのカルテ情報の編集要求を受け付け、
産科部門にて入力され、患者についてのカルテ情報に含まれる複数の項目のそれぞれの項目についての情報を記憶する看護データベースを参照して、前記特定の患者についての前記複数の項目のうちの少なくとも一つの項目に係る第１の情報を取得し、
前記産科部門とは異なる部門にて入力され、患者についてのカルテ情報に含まれる複数の項目のそれぞれの項目についての情報が記憶される患者データベースを参照して、前記特定の患者についての前記少なくとも一つの項目に対応する第２の情報を取得し、
前記第１の情報と前記第２の情報とが一致しない場合、前記第１の情報と前記第２の情報とが一致する場合の表示形態とは異なる表示形態に前記第１の情報の表示を変更する制御を行い、前記編集要求の対象の前記カルテ情報を表示する、
処理を実行させることを特徴とする情報処理プログラム。
【請求項７】
第１の情報処理装置が、
対象者のカルテ情報の表示要求を受け付け、
前記対象者についての前記カルテ情報に含まれる複数の項目に係る各々の情報が記憶される第１の記憶装置に記憶された少なくとも一つの項目に係る第１の情報および前記第１の情報の作成時点を示す第１の作成時点情報を取得し、
カルテ情報の更新が可能な第２の情報処理装置に設けられた第２の記憶装置から、前記少なくとも一つの項目に係る第２の情報および前記第２の情報の作成時点を示す第２の作成時点情報を取得し、
前記第１の情報と前記第２の情報とを比較し、前記第１の作成時点情報と前記第２の作成時点情報とを比較し、前記第１の情報と前記第２の情報が一致し前記第１の作成時点情報と前記第２の作成時点情報とが一致しない場合、前記少なくとも一つの項目についての前記カルテ情報の表示形態を、前記第１の情報と前記第２の情報とが一致し前記第１の作成時点情報と前記第２の作成時点情報とが一致する場合の表示形態とは異なる表示形態で表示させる、
処理を実行することを特徴とする情報処理方法。
【請求項８】
第１の情報処理装置が、
対象者のカルテ情報の表示要求を、他の情報処理装置から受信し、
前記対象者についての前記カルテ情報に含まれる複数の項目に係る各々の情報が記憶される第１の記憶装置に記憶された少なくとも一つの項目に係る第１の情報および前記第１の情報の作成時点を示す第１の作成時点情報を取得し、
カルテ情報の更新が可能な第２の情報処理装置に設けられた第２の記憶装置から、前記少なくとも一つの項目に係る第２の情報および前記第２の情報の作成時点を示す第２の作成時点情報を取得し、
前記第１の情報と前記第２の情報とを比較し、前記第１の作成時点情報と前記第２の作成時点情報とを比較し、前記第１の情報と前記第２の情報が一致し前記第１の作成時点情報と前記第２の作成時点情報とが一致しない場合、前記少なくとも一つの項目についての前記カルテ情報の表示形態を、前記第１の情報と前記第２の情報とが一致し前記第１の作成時点情報と前記第２の作成時点情報とが一致する場合の表示形態とは異なる表示形態と、前記対象者に関する前記第１の情報と前記第２の情報のうち少なくともいずれかと、を前記他の情報処理装置に送信する、
処理を実行することを特徴とする情報処理方法。
【請求項９】
対象者のカルテ情報の表示要求を受け付ける受付部と、
前記受付部によって前記表示要求が受け付けられた場合、前記対象者についての前記カルテ情報に含まれる複数の項目に係る各々の情報が記憶される第１の記憶装置に記憶された少なくとも一つの項目に係る第１の情報および前記第１の情報の作成時点を示す第１の作成時点情報を取得し、カルテ情報の更新が可能な第２の情報処理装置に設けられた第２の記憶装置から、前記少なくとも一つの項目に係る第２の情報および前記第２の情報の作成時点を示す第２の作成時点情報を取得する取得部と、
前記第１の情報と前記第２の情報とを比較し、前記第１の作成時点情報と前記第２の作成時点情報とを比較し、前記第１の情報と前記第２の情報が一致し前記第１の作成時点情報と前記第２の作成時点情報とが一致しない場合、前記少なくとも一つの項目についての前記カルテ情報の表示形態を、前記第１の情報と前記第２の情報とが一致し前記第１の作成時点情報と前記第２の作成時点情報とが一致する場合の表示形態とは異なる表示形態で表示する表示部と、
を備えることを特徴とする第１の情報処理装置。
【請求項１０】
対象者のカルテ情報の表示要求を、他の情報処理装置から受信する受信部と、
前記受信部によって前記表示要求が受け付けられた場合、前記対象者についての前記カルテ情報に含まれる複数の項目に係る各々の情報が記憶される第１の記憶装置に記憶された少なくとも一つの項目に係る第１の情報および前記第１の情報の作成時点を示す第１の作成時点情報を取得し、カルテ情報の更新が可能な第２の情報処理装置に設けられた第２の記憶装置から、前記少なくとも一つの項目に係る第２の情報および前記第２の情報の作成時点を示す第２の作成時点情報を取得する取得部と、
前記第１の情報と前記第２の情報とを比較し、前記第１の作成時点情報と前記第２の作成時点情報とを比較し、前記第１の情報と前記第２の情報が一致し前記第１の作成時点情報と前記第２の作成時点情報とが一致しない場合、前記少なくとも一つの項目についての前記カルテ情報の表示形態を、前記第１の情報と前記第２の情報とが一致し前記第１の作成時点情報と前記第２の作成時点情報とが一致する場合の表示形態とは異なる表示形態と、前記対象者に関する前記第１の情報と前記第２の情報のうち少なくともいずれかと、を前記他の情報処理装置に送信する送信部と、
を備えることを特徴とする情報処理装置。
【発明の詳細な説明】
【技術分野】
【０００１】
本発明は、情報を処理する情報処理プログラム、情報処理方法、および情報処理装置に関する。
【背景技術】
【０００２】
医療分野において、医師や助産師は、検査部門で記憶されている検査結果を参照して、法律に規定された事項を記載したカルテ（カルテとは医療上の諸記録であり、例えば診療録や助産録である）を作成している。従来、カルテの修正画面において、前回に作成したカルテの内容を修正元データとして修正画面内の入力欄に表示し、医師や助産師のカルテの作成を支援する技術があった（例えば、下記特許文献１参照）。
【先行技術文献】
【特許文献】
【０００３】
【特許文献１】特開２００１−１６０１１０号公報
【発明の概要】
【発明が解決しようとする課題】
【０００４】
上述した従来技術では、カルテのデータとは非同期に検査部門で検査結果が更新されることで、画面表示された前回保存時のカルテに含まれる検査結果のデータと、更新された検査結果とに不一致が生じることがある。しかしながら、医師や助産師は、検査結果の更新があったか、また、更新があった場合いつどの検査項目に対して行われたかがわからないため、画面表示されたカルテのデータよりも新しい、医療従事者にとって留意すべきデータが存在するか否かがわからないという問題があった。
【０００５】
本発明は、上述した従来技術による問題点を解消するため、共通項目を有する非同期の２つの記憶装置のうち、一方で共通項目のデータが更新されたことを、他方から読み出した共通項目のデータを表示する際に通知することができる情報処理プログラム、情報処理方法、および情報処理装置を提供することを目的とする。
【課題を解決するための手段】
【０００６】
上述した課題を解決し、目的を達成するため、本発明の一側面によれば、共通項目を有する非同期の第１の記憶装置および第２の記憶装置にアクセスし、対象に関する情報の表示要求を受け付け、表示要求が受け付けられた場合、第１の記憶装置から対象に関する共通項目の第１の値を取得し、第２の記憶装置から対象に関する共通項目の第２の値を取得し、取得された第１の値と第２の値とを比較し、比較結果に基づいて、対象に関する情報の表示形態を決定し、決定された表示形態に基づいて、対象に関する共通項目の第１の値と第２の値のうち少なくともいずれかを表示する情報処理プログラム、情報処理方法、および情報処理装置が提案される。
【発明の効果】
【０００７】
本発明の一側面によれば、共通項目を有する非同期の２つの記憶装置のうち、一方で共通項目のデータが更新されたことを、他方から読み出した共通項目のデータを表示する際に通知することができるという効果を奏する。
【図面の簡単な説明】
【０００８】
【図１】図１は、産科用コンピュータによるカルテの表示の内容を示す説明図である。
【図２】図２は、実施の形態にかかる表示システムのシステム構成例１を示す説明図である。
【図３】図３は、実施の形態にかかる表示システム２００のシステム構成例２を示す説明図である。
【図４】図４は、実施の形態にかかる産科用コンピュータ１０１のハードウェア構成例を示すブロック図である。
【図５】図５は、看護ＤＢ１０３の記憶内容の一例を示す説明図である。
【図６】図６は、患者ＤＢ１０４の記憶内容の一例を示す説明図である。
【図７】図７は、産科用コンピュータ１０１の機能的構成を示すブロック図である。
【図８】図８は、産科用コンピュータ１０１によるカルテの表示の内容を示す説明図（その１）である。
【図９】図９は、産科用コンピュータ１０１によるカルテの表示の内容を示す説明図（その２）である。
【図１０】図１０は、産科用コンピュータ１０１によるカルテの表示の内容を示す説明図（その３）である。
【図１１】図１１は、産科用コンピュータ１０１によるカルテの表示の内容を示す説明図（その４）である。
【図１２】図１２は、産科用コンピュータ１０１によるカルテの表示の内容を示す説明図（その５）である。
【図１３】図１３は、産科用コンピュータ１０１によるカルテの表示の内容を示す説明図（その６）である。
【図１４】図１４は、産科用コンピュータ１０１によるカルテの表示の内容を示す説明図（その７）である。
【図１５】図１５は、新規作成処理の処理内容を示すフローチャートである。
【図１６】図１６は、修正処理の処理内容を示すフローチャート（その１）である。
【図１７】図１７は、修正処理の処理内容を示すフローチャート（その２）である。
【発明を実施するための形態】
【０００９】
以下に添付図面を参照して、この発明にかかる情報処理プログラム、情報処理方法、および情報処理装置の実施の形態を詳細に説明する。情報処理装置は、共通項目の値を記憶する非同期の２つの記憶装置のうち、一方の記憶装置から読み出した共通項目の値が適正な値であるかを判定する。そのために、情報処理装置は、一方の記憶装置から読み出した共通項目の値と、他方の記憶装置に記憶されている共通項目の値と、を比較し、不一致であれば、適正な値でないと判定する。そして、情報処理装置は、一方の記憶装置から読み出した共通項目の値が適正な値でないことを強調して表示する。これにより、情報処理装置の利用者は、一方の記憶装置から読み出した共通項目の値が適正な値でないことを発見できるようになる。
【００１０】
以下では、情報処理装置として産科用コンピュータを例に挙げ、本実施の形態について説明する。産科用コンピュータは、産科で作成されたカルテを表示する際、カルテ内の項目の値が適正な値か否かを判定する。そのために、産科用コンピュータは、カルテとは非同期に、カルテ内の項目と共通する項目の値を記憶するデータベースから、共通する項目の値を取得する。
【００１１】
そして、産科用コンピュータは、カルテ内の項目の値と、取得した共通する項目の値と、を比較し、不一致であればカルテ内の項目の値が示す前回の検査結果が変化したと判定する。そして、産科用コンピュータは、カルテ内の項目の値が示す前回の検査結果が変化したことを示す表示形態でカルテを表示する。これにより、産科用コンピュータを利用する助産師は、表示されたカルテ内の項目の値が示す前回の検査結果が変化したことを発見できるようになる。なお、以下では、情報処理装置として産科用コンピュータを例に挙げているが、情報処理装置は、産科以外の他科で使用されるコンピュータであってもよい。
【００１２】
（産科用コンピュータによるカルテの表示の内容）
まず、図１を用いて、産科用コンピュータによるカルテの表示の内容について説明する。なお、産科用コンピュータにより表示されるカルテとは、助産録である。
【００１３】
図１は、産科用コンピュータによるカルテの表示の内容を示す説明図である。図１において、産科用コンピュータ１０１は、産科で助産師によって使用される装置である。産科用コンピュータ１０１は、共通項目を有するとともに産科用コンピュータからの情報の登録とは非同期に情報が登録される患者ＤＢ１０４、および看護ＤＢ１０３にアクセス可能である。ただし、産科用コンピュータ１０１は、患者ＤＢ１０４を参照可能であればよく、患者ＤＢ１０４に書き込み不可能であってもよい。
【００１４】
ここで、看護ＤＢ１０３には、産科で作成されたカルテのデータが記憶されている。カルテのデータには、患者ＤＢ１０４の検査結果と同一の項目「ＨＣＶ」に対応する検査結果の値「−」が含まれている。患者ＤＢ１０４には、検査部門で作成された検査結果が記憶されている。検査結果には、看護ＤＢ１０３のカルテと同一の項目「ＨＣＶ」に対応する検査結果の値「−」が含まれている。例えば、看護ＤＢ１０３と患者ＤＢ１０４とで共通する項目とは、患者についての感染症の検査結果の項目である。
【００１５】
産科用コンピュータ１０１は、患者ＤＢ１０４の検査結果を参照して助産師により作成されたカルテを看護ＤＢ１０３に書き込む。産科用コンピュータ１０１は、看護ＤＢ１０３に記憶されたカルテのデータを読み込んで、カルテを表示する。
【００１６】
検査部門用コンピュータ１０２は、検査部門で検査者によって使用される装置である。検査部門用コンピュータ１０２は、検査部門で検査者によって行われた検査の検査結果を患者ＤＢ１０４に書き込む。例えば、検査結果とは、患者についての感染症の検査の検査値や検査日である。
【００１７】
以下、産科用コンピュータ１０１で作成された初版のカルテが看護ＤＢ１０３に記憶された場合を例に挙げて、産科用コンピュータ１０１で看護ＤＢ１０３から読み出した初版のカルテを表示する際の処理について説明する。
【００１８】
（１）産科用コンピュータ１０１は、助産師からの操作を受けて、カルテの作成に使用される検査結果を患者ＤＢ１０４から取得する。ここでは、産科用コンピュータ１０１は、患者ＤＢ１０４から、感染症「ＨＣＶ」の検査の検査値「−」と検査日「２０１１／０６／２０」とを取得する。そして、産科用コンピュータ１０１では、助産師の操作により、取得された検査結果に基づいて初版のカルテのデータが作成される。
【００１９】
（２）次に、産科用コンピュータ１０１は、取得された検査結果に基づいて助産師によって作成された初版のカルテのデータを看護ＤＢ１０３に書き込む。ここでは、産科用コンピュータ１０１は、患者ＤＢ１０４から取得した感染症「ＨＣＶ」の検査の検査値「−」と検査日「２０１１／０６／２０」を含む初版のカルテのデータを看護ＤＢ１０３に書き込む。
【００２０】
（３）一方、検査部門用コンピュータ１０２は、産科用コンピュータ１０１での初版のカルテの作成以降に、新たな検査を行い、患者ＤＢ１０４に記憶された検査結果を更新する。ここでは、検査部門用コンピュータ１０２は、患者ＤＢ１０４に記憶されている感染症「ＨＣＶ」の検査の検査値「−」と検査日「２０１１／０６／２０」とを、新たな検査の検査値「＋」と検査日「２０１１／０６／３０」に更新する。
【００２１】
（４）次に、産科用コンピュータ１０１は、助産師の操作により、初版のカルテを表示する際、看護ＤＢ１０３から初版のカルテのデータを取得する。ここでは、産科用コンピュータ１０１は、感染症「ＨＣＶ」の検査の検査値「−」と検査日「２０１１／０６／２０」を含む初版のカルテのデータを取得する。
【００２２】
（５）そして、産科用コンピュータ１０１は、初版のカルテのデータの取得に併せて、患者ＤＢ１０４から最新の検査結果を取得する。ここでは、産科用コンピュータ１０１は、患者ＤＢ１０４から、（３）で更新された最新の検査結果である感染症「ＨＣＶ」の検査の検査値「＋」と検査日「２０１１／０６／３０」とを取得する。
【００２３】
（６）次に、産科用コンピュータ１０１は、取得された初版のカルテのデータと、最新の検査結果を比較する。ここでは、産科用コンピュータ１０１は、初版のカルテのデータに含まれる感染症「ＨＣＶ」の検査の検査値「−」と検査日「２０１１／０６／２０」と、最新の検査結果である感染症「ＨＣＶ」の検査の検査値「＋」と検査日「２０１１／０６／３０」と、を比較する。
【００２４】
（７）産科用コンピュータ１０１は、比較した結果、初版のカルテのデータと最新の検査結果とが不一致であるため、初版のカルテ内の不一致のデータを強調して、自装置のディスプレイに表示する。ここでは、産科用コンピュータ１０１は、検査結果が不一致であるため、感染症「ＨＣＶ」の検査の検査値「−」と検査日「２０１１／０６／２０」を、表示欄の色を変更することで、自装置のディスプレイで強調して表示する。
【００２５】
また、産科用コンピュータ１０１は、初版のカルテのデータに含まれる感染症「ＨＣＶ」の検査の検査値「−」と検査日「２０１１／０６／２０」を、最新の検査結果である検査値「＋」と検査日「２０１１／０６／３０」に更新してもよい。そして、産科用コンピュータ１０１は、更新された感染症「ＨＣＶ」の検査値「＋」と検査日「２０１１／０６／３０」を、表示欄の色を変更することで、自装置のディスプレイで強調して表示してもよい。
【００２６】
これにより、助産師は、産科用コンピュータ１０１のディスプレイでカルテが表示されるとき、カルテ内にある最新の検査結果と不一致のデータが強調して表示されるため、最新の検査結果と不一致のデータを発見できる。そのため、例えば、作成済みのカルテを修正元データとして修正したカルテを作成する際、助産師に患者の状態変化を知らせることができる。また、必要な場合には、カルテ内にある検査結果を最新のデータへ更新することもできる。
【００２７】
また、助産師による更新不備を防止するために、カルテのデータを最新の検査結果と同期させておく場合もあるが、この場合では助産師がカルテのデータが更新されたことに気づかずに判断ミスをしてしまうことがある。例えば、助産師は、患者のカルテ内の感染症の検査結果が陰性（正常）から陽性（異常）に自動的に更新されたことに気づかずに、感染症対策を行わずに患者に接してしまう場合がある。
【００２８】
また、例えば、助産師が患者のカルテ内の感染症の検査結果が陰性から陽性に自動的に更新されたことに気づかないため、患者への処置が遅れてしまう場合がある。また、例えば、助産師は、検査結果が誤って更新された場合であっても気づかないことがあり、検査結果を疑問視して再度の検査を依頼するといった判断ができない場合がある。一方、本実施の形態にかかる産科用コンピュータ１０１では、カルテ内で最新の検査結果と不一致の項目の値を強調して表示することで、助産師にカルテ内にある最新の検査結果と不一致のデータを発見させることができ、判断ミスを防止できる。
【００２９】
なお、ここでは、産科用コンピュータ１０１がカルテを表示するディスプレイを有する場合について説明したが、カルテを表示するディスプレイは他の装置が有していてもよい。例えば、産科用コンピュータ１０１は、他の装置からカルテのデータの要求を受けて、他の装置のディスプレイで表示されるカルテのデータを、強調して表示するデータを特定する情報と共に他の装置に送信してもよい。これにより、産科用コンピュータ１０１は、他の装置でカルテが表示されるとき、カルテ内にある最新の検査結果と不一致のデータを強調して表示させることができる。
【００３０】
（実施の形態にかかる表示システムのシステム構成例１）
次に、図２を用いて、実施の形態にかかる表示システムのシステム構成例１について説明する。
【００３１】
図２は、実施の形態にかかる表示システムのシステム構成例１を示す説明図である。図２において、表示システム２００は、産科用コンピュータ１０１と、検査部門用コンピュータ１０２と、データベースサーバ２０１と、を含む。表示システム２００において、産科用コンピュータ１０１と、検査部門用コンピュータ１０２と、データベースサーバ２０１と、は有線または無線のネットワーク２０２を介して接続されている。ネットワーク２０２は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３２】
データベースサーバ２０１は、非同期の看護ＤＢ１０３および患者ＤＢ１０４を記憶する装置である。看護ＤＢ１０３には、産科で作成されたカルテのデータが記憶されている。患者ＤＢ１０４には、検査部門で作成された検査結果が記憶されている。また、データベースサーバ２０１は、プロファイルＤＢを記憶していてもよいし、他科カルテＤＢを記憶していてもよい。プロファイルＤＢには、患者のプロファイル情報が記憶されている。他科カルテＤＢには、産科以外の他科で作成されたカルテのデータが記憶されている。データベースサーバ２０１としては、例えば、ＰＣ（Ｐｅｒｓｏｎａｌ  Ｃｏｍｐｕｔｅｒ）やノートＰＣなどを採用できる。
【００３３】
産科用コンピュータ１０１は、非同期の患者ＤＢ１０４および看護ＤＢ１０３にアクセス可能な装置である。ただし、産科用コンピュータ１０１は、患者ＤＢ１０４を参照可能であればよく、患者ＤＢ１０４に書き込み不可能であってもよい。産科用コンピュータ１０１は、助産師の操作により、患者ＤＢ１０４から取得した検査結果に基づいて作成されたカルテを、看護ＤＢ１０３に書き込む。
【００３４】
なお、助産師は、カルテの作成の際、プロファイルＤＢから取得した患者のプロファイル情報や、他科カルテＤＢから取得した他科で作成されたカルテのデータを参照してもよい。産科用コンピュータ１０１は、看護ＤＢ１０３に記憶されたカルテのデータを参照することで、作成済みのカルテを表示し、表示したカルテを修正する。産科用コンピュータ１０１としては、例えば、ＰＣやノートＰＣなどを採用できる。
【００３５】
検査部門用コンピュータ１０２は、検査部門で検査者によって使用される装置である。検査部門用コンピュータ１０２は、検査者によって行われた検査の検査結果を患者ＤＢ１０４に書き込む。検査部門用コンピュータ１０２としては、例えば、ＰＣやノートＰＣなどを採用できる。
【００３６】
なお、看護ＤＢ１０３および患者ＤＢ１０４は、データベースサーバ２０１以外の装置が記憶していてもよい。例えば、看護ＤＢ１０３は産科用コンピュータ１０１が記憶していてもよいし、患者ＤＢ１０４は検査部門用コンピュータ１０２が記憶していてもよい。
【００３７】
（実施の形態にかかる表示システム２００のシステム構成例２）
次に、図３を用いて、実施の形態にかかる表示システム２００のシステム構成例２について説明する。図２では、産科用コンピュータ１０１がカルテを表示するディスプレイを有する場合の表示システム２００を示したが、図３では、産科用コンピュータ１０１以外の他の装置がカルテを表示するディスプレイを有する場合の表示システム２００を示す。
【００３８】
図３は、実施の形態にかかる表示システム２００のシステム構成例２を示す説明図である。図３において、表示システム２００は、産科用コンピュータ１０１と、検査部門用コンピュータ１０２と、データベースサーバ２０１と、複数のクライアント装置３００と、を含む。表示システム２００において、産科用コンピュータ１０１と、検査部門用コンピュータ１０２と、データベースサーバ２０１と、複数のクライアント装置３００と、は有線または無線のネットワーク２０２を介して接続されている。ネットワーク２０２は、例えば、ＬＡＮ、ＷＡＮ、インターネットなどである。
【００３９】
データベースサーバ２０１は、非同期の看護ＤＢ１０３および患者ＤＢ１０４を記憶する装置である。看護ＤＢ１０３には、産科で作成されたカルテのデータが記憶されている。患者ＤＢ１０４には、検査部門で作成された検査結果が記憶されている。また、データベースサーバ２０１は、プロファイルＤＢを記憶していてもよいし、他科カルテＤＢを記憶していてもよい。プロファイルＤＢには、患者のプロファイル情報が記憶されている。他科カルテＤＢには、産科以外の他科で作成されたカルテのデータが記憶されている。データベースサーバ２０１としては、例えば、クラウドコンピューティング内のコンピュータやＰＣなどを採用できる。
【００４０】
産科用コンピュータ１０１は、非同期の患者ＤＢ１０４および看護ＤＢ１０３にアクセス可能な装置である。ただし、産科用コンピュータ１０１は、患者ＤＢ１０４を参照可能であればよく、患者ＤＢ１０４に書き込み不可能であってもよい。産科用コンピュータ１０１としては、例えば、クラウドコンピューティング内のコンピュータやＰＣなどを採用できる。検査部門用コンピュータ１０２は、患者ＤＢ１０４にアクセス可能な装置である。検査部門用コンピュータ１０２としては、例えば、クラウドコンピューティング内のコンピュータやＰＣなどを採用できる。
【００４１】
クライアント装置３００は、助産師や検査者によって使用される装置である。クライアント装置３００は、助産師の操作により、産科用コンピュータ１０１を介して患者ＤＢ１０４から取得した検査結果に基づいて作成されたカルテを、産科用コンピュータ１０１を介して看護ＤＢ１０３に書き込む。なお、助産師は、カルテの作成の際、産科用コンピュータ１０１を介してプロファイルＤＢから取得した患者のプロファイル情報や、他科カルテＤＢから取得した他科で作成されたカルテのデータを参照してもよい。クライアント装置３００は、産科用コンピュータ１０１を介して看護ＤＢ１０３に記憶されたカルテのデータを参照することで、カルテを表示する。クライアント装置３００は、検査者の操作により、検査部門用コンピュータ１０２を介して検査結果を患者ＤＢ１０４に書き込む。
【００４２】
（産科用コンピュータ１０１のハードウェア構成例）
次に、図４を用いて、産科用コンピュータ１０１のハードウェア構成例について説明する。
【００４３】
図４は、実施の形態にかかる産科用コンピュータ１０１のハードウェア構成例を示すブロック図である。図４において、産科用コンピュータ１０１は、ＣＰＵ（Ｃｅｎｔｒａｌ  Ｐｒｏｃｅｓｓｉｎｇ  Ｕｎｉｔ）４０１と、ＲＯＭ（Ｒｅａｄ‐Ｏｎｌｙ  Ｍｅｍｏｒｙ）４０２と、ＲＡＭ（Ｒａｎｄｏｍ  Ａｃｃｅｓｓ  Ｍｅｍｏｒｙ）４０３と、磁気ディスクドライブ４０４と、磁気ディスク４０５と、光ディスクドライブ４０６と、光ディスク４０７と、ディスプレイ４０８と、Ｉ／Ｆ（Ｉｎｔｅｒｆａｃｅ）４０９と、キーボード４１０と、マウス４１１と、スキャナ４１２と、プリンタ４１３と、を備えている。また、各構成部はバス４００によってそれぞれ接続されている。
【００４４】
ここで、ＣＰＵ４０１は、産科用コンピュータ１０１の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。
【００４５】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００４６】
ディスプレイ４０８は、カーソル、アイコンあるいはツールボックスをはじめ、文書、画像、機能情報などのデータを表示する。このディスプレイ４０８は、例えば、ＣＲＴ、ＴＦＴ液晶ディスプレイ、プラズマディスプレイなどを採用することができる。
【００４７】
インターフェース（以下、「Ｉ／Ｆ」と略する。）４０９は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２０２に接続され、このネットワーク２０２を介して他の装置に接続される。そして、Ｉ／Ｆ４０９は、ネットワーク２０２と内部のインターフェースを司り、外部装置からのデータの入出力を制御する。Ｉ／Ｆ４０９には、例えばモデムやＬＡＮアダプタなどを採用することができる。
【００４８】
キーボード４１０は、文字、数字、各種指示などの入力のためのキーを備え、データの入力を行う。また、タッチパネル式の入力パッドやテンキーなどであってもよい。マウス４１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００４９】
スキャナ４１２は、画像を光学的に読み取り、産科用コンピュータ１０１内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、例えば、レーザプリンタやインクジェットプリンタを採用することができる。
【００５０】
なお、図４に示したハードウェア構成例は、検査部門用コンピュータ１０２、データベースサーバ２０１、またはクライアント装置３００としても採用できる。
【００５１】
（看護ＤＢ１０３の記憶内容の一例）
次に、図５を用いて、データベースサーバ２０１に記憶されている看護ＤＢ１０３の記憶内容の一例について説明する。
【００５２】
図５は、看護ＤＢ１０３の記憶内容の一例を示す説明図である。図５に示すように、看護ＤＢ１０３は、患者ＩＤ項目のそれぞれに対応付けて、版数項目と、患者氏名項目と、生年月日項目と、年齢項目と、血液型項目と、感染症名項目と、最終検査値項目と、最終検査日項目と、を有する。そして、看護ＤＢ１０３は、カルテが作成または更新されるごとにレコードを構成する。
【００５３】
患者ＩＤ項目には、カルテの対象の患者を識別する識別子が記憶される。版数項目には、カルテの版数が記憶される。例えば、新規作成されたカルテに関するレコードの版数項目には初版を示す「１」が記憶され、初版のカルテが変更された２版のカルテに関するレコードの版数項目には２版を示す「２」が記憶される。
【００５４】
患者氏名項目には、カルテの対象の患者の氏名が記憶される。生年月日項目には、カルテの対象の患者の生年月日が記憶される。年齢項目には、カルテの対象の患者の年齢が記憶される。血液型項目には、カルテの対象の患者の血液型が記憶される。
【００５５】
感染症名項目には、カルテの対象の患者を検査した感染症の名称が記憶される。最終検査値項目には、感染症名項目の感染症について、カルテの対象の患者を検査したときの最新の検査結果が記憶される。最終検査日項目には、感染症名項目の感染症について、カルテの対象の患者を検査した最新の検査日が記憶される。
【００５６】
（患者ＤＢ１０４の記憶内容の一例）
次に、図６を用いて、データベースサーバ２０１に記憶されている患者ＤＢ１０４の記憶内容の一例について説明する。
【００５７】
図６は、患者ＤＢ１０４の記憶内容の一例を示す説明図である。図６に示すように、患者ＤＢ１０４は、患者ＩＤ項目のそれぞれに対応付けて、患者氏名項目と、生年月日項目と、年齢項目と、血液型項目と、感染症名項目と、検査値項目と、検査日項目と、を有する。そして、患者ＤＢ１０４は、患者が検査されるごとにレコードを構成する。
【００５８】
患者ＩＤ項目には、検査対象の患者を識別する識別子が記憶される。患者氏名項目には、検査対象の患者の氏名が記憶される。生年月日項目には、検査対象の患者の生年月日が記憶される。年齢項目には、検査対象の患者の年齢が記憶される。血液型項目には、検査対象の患者の血液型が記憶される。
【００５９】
感染症名項目には、検査対象の患者を検査した感染症の名称が記憶される。検査値項目には、感染症名項目の感染症について、検査対象の患者を検査したときの検査結果が記憶される。検査日項目には、感染症名項目の感染症について、検査対象の患者を検査した検査日が記憶される。
【００６０】
（産科用コンピュータ１０１の機能的構成例）
次に、図７を用いて、産科用コンピュータ１０１の機能的構成例について説明する。
【００６１】
図７は、産科用コンピュータ１０１の機能的構成を示すブロック図である。産科用コンピュータ１０１は、受付部７０１と、取得部７０２と、比較部７０３と、決定部７０４と、表示部７０５と、反映部７０６と、受信部７０７と、送信部７０８と、を含む構成である。この制御部となる機能（受付部７０１〜送信部７０８）は、具体的には、例えば、図４に示したＲＯＭ４０２、ＲＡＭ４０３、磁気ディスク４０５、光ディスク４０７などの記憶装置に記憶されたプログラムをＣＰＵ４０１に実行させることにより、または、Ｉ／Ｆ４０９により、その機能を実現する。
【００６２】
受付部７０１は、対象者のカルテ情報の表示要求を受け付ける機能を有する。ここで、対象者のカルテ情報とは、例えば、対象とする患者（患畜であってもよい）に関するカルテのデータである。具体的には、例えば、受付部７０１は、図２に示したような表示システム２００の場合、助産師によるマウス４１１またはキーボード４１０の操作により、対象とする患者に関するカルテの表示要求を受け付ける。表示要求には、対象とする患者を識別する患者ＩＤが含まれてもよい。これにより、受付部７０１は、カルテの表示のトリガを受け付けられる。なお、受け付けられたデータは、ＲＡＭ４０３、磁気ディスク４０５、光ディスク４０７などの記憶領域に記憶される。
【００６３】
取得部７０２は、受付部７０１によって表示要求が受け付けられた場合、カルテ情報に含まれる複数の項目各々について、項目に関する値を記憶する第１の記憶装置から、特定の項目に係る第１の値を取得する機能を有する。また、取得部７０２は、受付部７０１によって表示要求が受け付けられた場合、対象者に対応する特定の項目に関する第２の値が第１の記憶装置とは非同期に登録される第２の記憶装置から第２の値を取得する機能を有する。ここで、特定の項目とは、第１の記憶装置と第２の記憶装置とで共通する共通項目である。第１の記憶装置と第２の記憶装置とは、共通項目を有し、それぞれ非同期に更新される記憶装置である。
【００６４】
第１の記憶装置とは、対象者に関する情報を記憶する記憶装置であり、例えば、上述した患者のカルテのデータを記憶する看護ＤＢ１０３である。第２の記憶装置とは、第１の記憶装置と共通する項目を有する記憶装置であり、例えば、上述したカルテの項目と共通する項目を有する患者ＤＢ１０４である。また、第２の記憶装置とは、上述したカルテの項目と共通する項目を有するプロファイルＤＢや他科カルテＤＢであってもよい。
【００６５】
共通項目とは、例えば、看護ＤＢ１０３と患者ＤＢ１０４とで共通する感染症の検査の検査結果に関する項目である。また、共通項目とは、看護ＤＢ１０３とプロファイルＤＢとで共通する患者のプロファイル情報に関する項目であってもよい。プロファイル情報には、例えば患者のアレルギー情報や、身体情報、家族構成や、生活習慣などに関する情報が含まれる。第１の値とは、例えば、看護ＤＢ１０３に記憶されているカルテの最終検査値項目の値である。第２の値とは、例えば、患者ＤＢ１０４に記憶されている検査値項目の値である。
【００６６】
具体的には、例えば、取得部７０２は、受付部７０１によってカルテの表示要求が受け付けられた場合、患者ＩＤに基づいて、看護ＤＢ１０３から最終検査値項目の値を含むカルテのデータを取得する。また、取得部７０２は、患者ＩＤに基づいて、看護ＤＢ１０３と共通する検査値項目の値を患者ＤＢ１０４から取得する。これにより、取得部７０２は、比較部７０３によって比較されるカルテのデータとカルテの項目と共通する項目の値とを取得できる。なお、取得部７０２は、患者ＤＢ１０４で、同一の項目に対して複数の検査値が記憶されている場合、複数の検査値の中から最新の検査値を取得する。
【００６７】
また、取得部７０２は、受付部７０１によって表示要求が受け付けられた場合、第１の記憶装置から第１の値および第１の値の作成時点を示す第１の作成時点情報を取得し、第２の記憶装置から第２の値および第２の値の作成時点を示す第２の作成時点情報を取得する機能を有する。ここで、第１の作成時点情報とは、例えば、カルテの項目の値が作成された時点を示す情報であり、例えば、カルテの項目の値の作成の年月日である。第２の作成時点情報とは、例えば、検査部門で検査値が作成された時点を示す情報であり、例えば、検査を行った年月日である。
【００６８】
具体的には、例えば、取得部７０２は、受付部７０１によってカルテの表示要求が受け付けられた場合、患者ＩＤに基づいて、看護ＤＢ１０３から最終検査値項目の値と最終検査日項目の値とを含むカルテのデータを取得する。また、取得部７０２は、患者ＩＤに基づいて、看護ＤＢ１０３と共通する検査値項目の値と検査日項目の値を患者ＤＢ１０４から取得する。これにより、取得部７０２は、比較部７０３によって比較されるカルテのデータとカルテの項目と共通する項目の値とを取得できる。なお、取得されたデータは、ＲＡＭ４０３、磁気ディスク４０５、光ディスク４０７などの記憶領域に記憶される。
【００６９】
比較部７０３は、取得部７０２によって取得された第１の値と第２の値とを比較する機能を有する。具体的には、例えば、比較部７０３は、看護ＤＢ１０３から取得したカルテの最終検査値項目の値と患者ＤＢ１０４から取得した検査値項目の値とを比較する。これにより、比較部７０３は、カルテの最終検査値項目の値と患者ＤＢ１０４の検査値項目の値とが一致するか否かを判定することができる。
【００７０】
また、比較部７０３は、第１の値と第２の値とを比較し、第１の作成時点情報と第２の作成時点情報とを比較する機能を有する。具体的には、例えば、比較部７０３は、看護ＤＢ１０３から取得したカルテの最終検査値項目の値と患者ＤＢ１０４から取得した検査値項目の値とを比較する。また、比較部７０３は、看護ＤＢ１０３から取得したカルテの最終検査日項目の値と患者ＤＢ１０４から取得した検査日項目の値とを比較する。これにより、比較部７０３は、最終検査値項目の値と患者ＤＢ１０４の検査値項目の値とが一致するか否かと、最終検査日項目の値と患者ＤＢ１０４の検査日項目の値とが一致するか否かを判定することができる。なお、比較結果は、ＲＡＭ４０３、磁気ディスク４０５、光ディスク４０７などの記憶領域に記憶される。
【００７１】
決定部７０４は、比較部７０３によって比較された比較結果に基づいて、カルテ情報の表示形態を決定する機能を有する。具体的には、例えば、決定部７０４は、比較部７０３によって比較された結果、第１の値と第２の値とが一致しない場合、特定の項目についてのカルテ情報の表示形態を、第１の値と第２の値とが一致する場合の表示形態とは異なる表示形態に決定する。
【００７２】
より具体的には、例えば、決定部７０４は、比較部７０３によって比較された結果、看護ＤＢ１０３から取得したカルテの最終検査値項目の値と患者ＤＢ１０４から取得した検査値項目の値とが一致しなかった場合、カルテの最終検査値項目の値をアラート対象に決定する。そして、決定部７０４は、アラート対象である最終検査値項目の値の表示形態を、アラート対象でない項目の値の表示形態とは異なる表示形態に決定する。これにより、決定部７０４は、最新の検査結果と一致しないカルテ内の項目の値をアラート対象に決定することができる。そして、決定部７０４は、アラート対象の項目の表示形態を決定することができる。
【００７３】
また、具体的には、例えば、決定部７０４は、比較部７０３によって比較された結果、第１の値と第２の値とが一致しない場合、特定の項目についてのカルテ情報の表示形態を、第１の記憶装置が有する第２の記憶装置とは非共通の項目についての対象者のカルテ情報の表示形態とは異なる表示形態に決定する。
【００７４】
より具体的には、例えば、決定部７０４は、比較部７０３によって比較された結果、看護ＤＢ１０３から取得したカルテの最終検査値項目の値と患者ＤＢ１０４から取得した検査値項目の値とが一致しなかった場合、カルテの最終検査値項目の値をアラート対象に決定する。そして、決定部７０４は、アラート対象の最終検査値項目の値の表示形態を、看護ＤＢ１０３のカルテの項目のうち患者ＤＢ１０４と非共通の項目の値の表示形態とは異なる表示形態に決定する。これにより、決定部７０４は、最新の検査結果と一致しないカルテ内の項目の値をアラート対象に決定することができる。そして、決定部７０４は、アラート対象の項目の表示形態を決定することができる。
【００７５】
また、具体的には、例えば、決定部７０４は、比較部７０３によって比較された結果、第１の値と第２の値が一致し第１の作成時点情報と第２の作成時点情報とが一致しない場合、特定の項目についてのカルテ情報の表示形態を、第１の値と第２の値が一致し第１の作成時点情報と第２の作成時点情報とが一致する場合の表示形態とは異なる表示形態に決定する。
【００７６】
より具体的には、例えば、決定部７０４は、比較部７０３によって比較された結果、看護ＤＢ１０３から取得したカルテの最終検査値項目の値と患者ＤＢ１０４から取得した検査値項目の値とが一致するが、看護ＤＢ１０３から取得したカルテの最終検査日と患者ＤＢ１０４から取得した検査日とが一致しなかった場合、カルテの最終検査値項目の値をアラート対象に決定する。そして、決定部７０４は、アラート対象である最終検査値項目の値の表示形態を、アラート対象でない項目の値の表示形態とは異なる表示形態に決定する。これにより、決定部７０４は、最新の検査結果と一致しないカルテ内の項目の値をアラート対象に決定することができる。そして、決定部７０４は、アラート対象の項目の表示形態を決定することができる。
【００７７】
また、具体的には、例えば、決定部７０４は、比較部７０３によって比較された結果、第１の値と第２の値が一致し、第１の作成時点情報と第２の作成時点情報とが一致しない場合、特定の項目についてのカルテ情報の表示形態を、第１の記憶装置が有する第２の記憶装置とは非共通の項目についての対象者のカルテ情報の表示形態とは異なる表示形態に決定する。
【００７８】
より具体的には、例えば、決定部７０４は、比較部７０３によって比較された結果、看護ＤＢ１０３から取得したカルテの最終検査値項目の値と患者ＤＢ１０４から取得した検査値項目の値とが一致するが、看護ＤＢ１０３から取得したカルテの最終検査日と患者ＤＢ１０４から取得した検査日とが一致しなかった場合、カルテの最終検査値項目の値をアラート対象に決定する。そして、決定部７０４は、アラート対象の最終検査値項目の値の表示形態を、看護ＤＢ１０３のカルテの項目のうち患者ＤＢ１０４と非共通の項目の値の表示形態とは異なる表示形態に決定する。
【００７９】
これにより、決定部７０４は、最新の検査結果と一致しないカルテ内の項目の値をアラート対象に決定することができる。そして、決定部７０４は、アラート対象の項目の表示形態を決定することができる。なお、決定された表示形態は、ＲＡＭ４０３、磁気ディスク４０５、光ディスク４０７などの記憶領域に記憶される。
【００８０】
表示部７０５は、決定部７０４によって決定された表示形態に基づいて、対象者に関する特定の項目の第１の値と第２の値のうち少なくともいずれかを表示する機能を有する。具体的には、例えば、表示部７０５は、決定部７０４によって決定された表示形態に基づいて、第２の値を反映させる対象となる第１の値を表示する。より具体的には、例えば、表示部７０５は、図２に示したような表示システム２００の場合、決定部７０４によって決定された表示形態で、看護ＤＢ１０３から取得したカルテの最終検査値項目の値をディスプレイ４０８に表示する。
【００８１】
これにより、表示部７０５は、産科用コンピュータ１０１のディスプレイ４０８に、アラート対象の最終検査値項目の値を強調したカルテを表示することができる。結果として、助産師は、カルテを閲覧する際、カルテ内の最新の検査結果と不一致のデータを発見することができるようになる。そして、助産師は、患者の検診を通じて、新たな検査結果がカルテに反映するべき適切な結果であると判断した場合に、最新の検査結果をカルテに反映させることができる。
【００８２】
また、具体的には、例えば、表示部７０５は、決定部７０４によって決定された表示形態に基づいて、第１の値に反映させる対象となる第２の値を表示する。より具体的には、例えば、表示部７０５は、図２に示したような表示システム２００の場合、決定部７０４によって決定された表示形態で、患者ＤＢ１０４から取得した検査値項目の値をディスプレイ４０８に表示する。これにより、表示部７０５は、産科用コンピュータ１０１のディスプレイ４０８に、アラート対象の最終検査値項目の値を患者ＤＢ１０４から取得した検査値項目の値で最新化して、最新化した最終検査値項目の値を強調したカルテを表示することができる。結果として、助産師は、カルテを閲覧する際、カルテ内の最新の検査結果と不一致であったデータを発見することができ、また、最新の検査結果を参照することができるようになる。
【００８３】
また、具体的には、例えば、表示部７０５は、第１の値の表示と、第２の値の表示と、を切り替えて表示する。より具体的には、例えば、表示部７０５は、図２に示したような表示システム２００の場合、看護ＤＢ１０３から取得したカルテの最終検査値項目の値と、患者ＤＢ１０４から取得した検査値項目の値と、のディスプレイ４０８での表示を切り替える。これにより、助産師は、カルテを閲覧する際、カルテ内の最新の検査結果と不一致であったデータについて、不一致であったデータと最新の検査結果とを切り替えて参照することができるようになる。
【００８４】
また、具体的には、例えば、表示部７０５は、決定部７０４によって決定された表示形態に基づいて、第１の値および第２の値を表示する。より具体的には、例えば、表示部７０５は、図２に示したような表示システム２００の場合、看護ＤＢ１０３から取得したカルテの最終検査値項目の値と、患者ＤＢ１０４から取得した検査値項目の値と、をディスプレイ４０８に表示する。これにより、表示部７０５は、産科用コンピュータ１０１のディスプレイ４０８に、アラート対象の最終検査値項目の値を強調したカルテを表示することができる。結果として、助産師は、カルテを閲覧する際、カルテ内の最新の検査結果と不一致のデータを発見することができ、不一致であったデータと最新の検査結果とを同時に参照することができる。
【００８５】
反映部７０６は、受付部７０１によって第２の値の反映要求が受け付けられた場合、第２の値を第１の値に反映させる機能を有する。具体的には、反映部７０６は、受付部７０１によって最新化ボタンの押下が受け付けられると、カルテの最終検査値項目の値を患者ＤＢ１０４から取得した検査値項目の値で更新する。これにより、反映部７０６は、看護ＤＢ１０３のカルテの中の最新の値が記憶されていない項目に、最新の値を自動で入力することができる。
【００８６】
受信部７０７は、対象者のカルテ情報の表示要求を、他の情報処理装置から受信する機能を有する。ここで、他の情報処理装置とは、カルテを表示するディスプレイ４０８を有するクライアント装置３００である。具体的には、例えば、受信部７０７は、図３に示したような表示システム２００の場合、クライアント装置３００から、カルテの表示要求を受信する。表示要求には、クライアント装置３００の識別子が含まれていてもよい。これにより、受信部７０７は、クライアント装置３００にカルテを送信するトリガを受信できる。
【００８７】
送信部７０８は、決定部７０４によって決定された表示形態と、対象者に関する特定の項目の第１の値と第２の値のうち少なくともいずれかと、を他の情報処理装置に送信する機能を有する。具体的には、例えば、送信部７０８は、図３に示したような表示システム２００の場合、決定部７０４によって決定されたアラート対象の最終検査値項目の値の表示形態と、看護ＤＢ１０３から取得したカルテの最終検査値項目の値と、患者ＤＢ１０４から取得した検査値項目の値と、をクライアント装置３００に送信する。
【００８８】
また、送信部７０８は、カルテのデータを、クライアント装置３００に送信する。これにより、クライアント装置３００は、クライアント装置３００でカルテを表示するとき、カルテ内にある最新の検査結果と不一致のデータを強調して表示することができる。結果として、クライアント装置３００を利用する助産師は、カルテを閲覧する際、カルテ内の最新の検査結果と不一致のデータを発見することができるようになる。
【００８９】
（産科用コンピュータ１０１によるカルテの表示）
次に、図８〜図１４を用いて、産科用コンピュータ１０１によるカルテの表示の内容について説明する。
【００９０】
図８〜図１４は、産科用コンピュータ１０１によるカルテの表示の内容を示す説明図である。図８に示すように、産科用コンピュータ１０１は、患者を選択する患者選択画面を表示する。ここで、産科用コンピュータ１０１は、助産師によるマウス４１１やキーボード４１０の操作により患者が選択されると、選択された患者についての情報を表示する患者情報表示画面に移行する。
【００９１】
図９に示すように、産科用コンピュータ１０１は、患者情報表示画面を表示する。ここで、産科用コンピュータ１０１は、助産師によるマウス４１１やキーボード４１０の操作により看護情報のタブが選択されると、看護情報を表示する看護情報表示画面に移行する。
【００９２】
図１０に示すように、産科用コンピュータ１０１は、看護情報表示画面を表示する。ここで、産科用コンピュータ１０１は、助産師によるマウス４１１やキーボード４１０の操作によりカルテの作成のメニューが呼び出されると、画面上にカルテの作成のメニューを表示する。そして、産科用コンピュータ１０１は、助産師によるマウス４１１やキーボード４１０の操作によりカルテの新規作成の項目が選択されると、カルテのデータの入力を受け付けるカルテ入力画面に移行する。
【００９３】
図１１に示すように、産科用コンピュータ１０１は、カルテ入力画面を表示する。カルテ入力画面の各項目には、患者ＤＢ１０４から取得したデータが自動的に入力される。なお、カルテ入力画面の各項目には、患者ＤＢ１０４の他、プロファイルＤＢや他科カルテＤＢから取得したデータが自動的に入力されていてもよい。ここで、産科用コンピュータ１０１は、助産師によるマウス４１１やキーボード４１０の操作により確定ボタンが押下されると、カルテ入力画面の各項目に入力されたデータを、初版のカルテのデータとして看護ＤＢ１０３に書き込む。これにより、産科用コンピュータ１０１は、新規作成された初版のカルテを看護ＤＢ１０３に書き込んでおくことができる。
【００９４】
ここで、検査部門用コンピュータ１０２による患者ＤＢ１０４に記憶された検査値項目の値の更新以降に、産科用コンピュータ１０１で初版のカルテを修正する際、看護ＤＢ１０３から呼び出した初版のカルテを修正元データとして表示する場合を例に挙げる。
【００９５】
図１２に示すように、産科用コンピュータ１０１は、図８の患者選択画面と図９の患者情報表示画面を経て、看護情報表示画面を表示する。ここで、産科用コンピュータ１０１は、助産師によるマウス４１１やキーボード４１０の操作によりカルテの作成のメニューが呼び出されると、画面上にカルテの作成のメニューを表示する。そして、産科用コンピュータ１０１は、助産師によるマウス４１１やキーボード４１０の操作によりカルテの修正の項目が選択されると、カルテのデータの修正を受け付けるカルテ修正画面に移行する。
【００９６】
図１３に示すように、産科用コンピュータ１０１は、カルテ修正画面を表示する。具体的には、産科用コンピュータ１０１は、看護ＤＢ１０３を参照して初版のカルテのデータを取得し、患者ＤＢ１０４を参照して検査値項目の値を取得する。次に、産科用コンピュータ１０１は、カルテのデータのうち、検査値項目の値と一致しないデータがあれば、アラート表示の対象にする。
【００９７】
そして、産科用コンピュータ１０１は、アラート表示の対象ではないデータとは異なる表示形態で、アラート表示の対象のデータを強調表示する。これにより、産科用コンピュータ１０１は、初版のカルテ内で、最新の検査値項目の値と一致しない最終検査値項目の値を強調したカルテを表示することができる。これにより、助産師は、初版のカルテ内にある最新の検査結果と不一致のデータを発見できる。結果として、助産師によるカルテ内にある最新の検査結果と不一致のデータの更新不備を防止することができる。
【００９８】
図１４に示すように、産科用コンピュータ１０１は、助産師によるマウス４１１やキーボード４１０の操作により最新化ボタンが押下されると、アラート表示の対象のデータを患者ＤＢ１０４から取得した検査値項目の値で更新し、アラート表示を解除する。ここで、産科用コンピュータ１０１は、助産師によるマウス４１１やキーボード４１０の操作により確定ボタンが押下されると、カルテ入力画面の各項目に入力されたデータを、２版のカルテのデータとして看護ＤＢ１０３に書き込む。これにより、産科用コンピュータ１０１は、初版のカルテを修正元データにして作成された２版のデータを看護ＤＢ１０３に書き込んでおくことができる。
【００９９】
（新規作成処理の処理内容）
次に、図１５を用いて、産科用コンピュータ１０１により行われる新規作成処理の処理内容について説明する。ここで、新規作成処理は、図８〜図１１で、産科用コンピュータ１０１により行われた処理である。
【０１００】
図１５は、新規作成処理の処理内容を示すフローチャートである。まず、ＣＰＵ４０１は、患者選択画面（図８参照）を表示する（ステップＳ１５０１）。次に、ＣＰＵ４０１は、患者選択画面で選択された患者についての患者情報表示画面（図９参照）を表示する（ステップＳ１５０２）。
【０１０１】
そして、ＣＰＵ４０１は、患者ＤＢ１０４、プロファイルＤＢ、および他科カルテＤＢから患者の情報を取得し（ステップＳ１５０３）、取得した情報に基づいて、カルテ入力画面（図１１参照）を表示する（ステップＳ１５０４）。次に、ＣＰＵ４０１は、カルテ入力画面で情報が入力されたか否かを判定する（ステップＳ１５０５）。ここで、情報が入力された場合（ステップＳ１５０５：Ｙｅｓ）、ＣＰＵ４０１は、ステップＳ１５０５に戻る。
【０１０２】
一方、情報が入力されていない場合（ステップＳ１５０５：Ｎｏ）、ＣＰＵ４０１は、確定ボタンが押下されたか否かを判定する（ステップＳ１５０６）。ここで、確定ボタンが押下されていない場合（ステップＳ１５０６：Ｎｏ）、ＣＰＵ４０１は、ステップＳ１５０５に戻る。
【０１０３】
一方、確定ボタンが押下された場合（ステップＳ１５０６：Ｙｅｓ）、ＣＰＵ４０１は、カルテ入力画面の各項目に入力されているデータを、初版のカルテのデータとして看護ＤＢ１０３に保存して（ステップＳ１５０７）、新規作成処理を終了する。これにより、産科用コンピュータ１０１は、初版のカルテを新規作成することができる。
【０１０４】
（修正処理の処理内容）
次に、図１６および図１７を用いて、産科用コンピュータ１０１により行われる修正処理の処理内容について説明する。ここで、修正処理は、図１２〜図１４で、産科用コンピュータ１０１により行われた処理である。
【０１０５】
図１６および図１７は、修正処理の処理内容を示すフローチャートである。まず、ＣＰＵ４０１は、患者選択画面（図８参照）を表示する（ステップＳ１６０１）。次に、ＣＰＵ４０１は、患者選択画面で選択された患者についての患者情報表示画面（図９参照）を表示する（ステップＳ１６０２）。そして、ＣＰＵ４０１は、看護ＤＢ１０３からカルテのデータを取得する（ステップＳ１６０３）。
【０１０６】
次に、ＣＰＵ４０１は、取得したカルテのデータのうち、未選択のデータを対象データに決定する（ステップＳ１６０４）。そして、ＣＰＵ４０１は、患者ＤＢ１０４から、対象データに対応する検査値項目の値を取得する（ステップＳ１６０５）。
【０１０７】
次に、ＣＰＵ４０１は、対象データと取得した検査値項目の値とが一致するか否かを判定する（ステップＳ１６０６）。ここで、一致する場合（ステップＳ１６０６：Ｙｅｓ）、ＣＰＵ４０１は、ステップＳ１６０８に移行する。一方、一致しない場合（ステップＳ１６０６：Ｎｏ）、ＣＰＵ４０１は、対象データをアラート表示の対象に決定する（ステップＳ１６０７）。
【０１０８】
次に、ＣＰＵ４０１は、取得したカルテのデータのすべてを選択したか否かを判定する（ステップＳ１６０８）。ここで、選択していないデータがある場合（ステップＳ１６０８：Ｎｏ）、ＣＰＵ４０１は、ステップＳ１６０４に戻る。
【０１０９】
一方、すべてのデータを選択した場合（ステップＳ１６０８：Ｙｅｓ）、ＣＰＵ４０１は、アラート対象のデータについてはアラート対象でないデータとは異なる表示形態で、取得したカルテのデータに基づいて、カルテ修正画面（図１３参照）を表示する（ステップＳ１６０９）。そして、ＣＰＵ４０１は、図１７のステップＳ１７０１に移行する。
【０１１０】
次に、ＣＰＵ４０１は、カルテ修正画面で情報が入力されたか否かを判定する（ステップＳ１７０１）。ここで、情報が入力された場合（ステップＳ１７０１：Ｙｅｓ）、ＣＰＵ４０１は、ステップＳ１７０１に戻る。
【０１１１】
一方、情報が入力されていない場合（ステップＳ１７０１：Ｎｏ）、ＣＰＵ４０１は、最新化ボタンが押下されたか否かを判定する（ステップＳ１７０２）。ここで、最新化ボタンが押下されていない場合（ステップＳ１７０２：Ｎｏ）、ＣＰＵ４０１は、ステップＳ１７０５に移行する。
【０１１２】
一方、最新化ボタンが押下された場合（ステップＳ１７０２：Ｙｅｓ）、ＣＰＵ４０１は、アラート対象のデータを、患者ＤＢ１０４から取得した検査値項目の値で更新する（ステップＳ１７０３）。次に、ＣＰＵ４０１は、アラート対象のアラート表示を解除する（ステップＳ１７０４）。
【０１１３】
そして、ＣＰＵ４０１は、確定ボタンが押下されたか否かを判定する（ステップＳ１７０５）。ここで、確定ボタンが押下されていない場合（ステップＳ１７０５：Ｎｏ）、ＣＰＵ４０１は、ステップＳ１７０１に戻る。
【０１１４】
一方、確定ボタンが押下された場合（ステップＳ１７０５：Ｙｅｓ）、ＣＰＵ４０１は、カルテ入力画面の各項目に入力されているデータを、修正されたカルテのデータとして看護ＤＢ１０３に保存して（ステップＳ１７０６）、修正処理を終了する。
【０１１５】
これにより、産科用コンピュータ１０１は、前回のカルテを修正元データとして修正した新たなカルテを作成することができる。この際、産科用コンピュータ１０１は、修正元データにするカルテ内に最新の検査値項目の値と不一致の値があれば、不一致の値を強調して表示する。これにより、助産師は、強調して表示されたデータが、検査部門での最新の検査結果とは不一致のデータであると判断できる。結果として、助産師は、表示されているカルテ内で強調されている値を、検査部門の最新の検査値項目の値で更新すべきと判断できる。そのため、助産師によるカルテ内にある最新の検査値項目の値と不一致の値の更新不備を防止することができる。
【０１１６】
なお、ここでは、産科用コンピュータ１０１は、カルテのデータと患者ＤＢ１０４から取得した検査値項目の値とを比較したが、カルテのデータと患者ＤＢ１０４の検査日項目の値を比較してもよい。また、産科用コンピュータ１０１は、カルテのデータとプロファイルＤＢの患者のプロファイル情報とを比較してもよいし、カルテのデータと他科カルテＤＢの他科で作成されたカルテのデータとを比較してもよい。
【０１１７】
以上説明したように、産科用コンピュータ１０１は、最新の検査結果と不一致のカルテ内の項目の値を強調して表示する。これにより、産科用コンピュータ１０１は、助産師に患者の状態変化を知らせることができる。そして、助産師は、強調して表示されたデータが、検査部門での最新の検査結果とは不一致のデータであると判断できる。結果として、助産師は、表示されているカルテ内で強調されている値を、検査部門の最新の検査値項目の値で更新すべきか否かを判断して、必要な場合には、カルテ内にある検査結果を最新のデータへ更新することもできる。
【０１１８】
ここで、助産師は、適切な診療や検診のために、患者の状態の変化または変化の可能性を把握しておく必要がある。よって、助産師は、新たな検査結果が登録されたことに気づかずに判断ミスをしてしまうことがある。例えば、助産師は、患者のカルテ内の感染症の検査結果が陰性から陽性に自動的に更新されたことに気づかずに、感染症対策を行わずに患者に接してしまう場合がある。
【０１１９】
また、例えば、助産師が患者のカルテ内の感染症の検査結果が陰性から陽性に自動的に更新されたことに気づかないため、患者への処置が遅れてしまう場合がある。一方、産科用コンピュータ１０１は、カルテ内で最新の検査結果と不一致の項目の値を強調して表示する。そのため、助産師は、強調して表示されたデータが、検査部門での最新の検査結果とは不一致のデータであると判断でき、判断ミスを防止できる。
【０１２０】
また、産科用コンピュータ１０１は、最新の検査日以外の検査日に行われた検査結果が記憶されたカルテ内の項目の値を強調して表示する。これにより、助産師は、強調して表示されたデータが、検査部門での最新の検査結果とは不一致のデータであると判断できる。結果として、助産師によるカルテ内にある最新の検査結果と不一致のデータの更新不備を防止することができる。また、助産師は、最新の検査結果とは検査日が不一致であるが、患者の状態に変化がないことを視覚的に判断して、カルテを更新するか否かの判断の指標にすることができる。
【０１２１】
産科用コンピュータ１０１は、カルテ内にある最新の検査結果と不一致のデータを、カルテ内の他のデータとは異なる表示形式で表示することで、強調して表示する。これにより、助産師は、強調して表示されたデータが、検査部門での最新の検査結果とは不一致のデータであると視覚的に判断できる。
【０１２２】
産科用コンピュータ１０１は、カルテ内にある最新の検査結果と不一致のデータを、一致する場合とは異なる表示形式で表示することで、強調して表示する。これにより、助産師は、強調して表示されたデータが、検査部門での最新の検査結果とは不一致のデータであると視覚的に判断できる。
【０１２３】
産科用コンピュータ１０１は、カルテ内にある最新の検査結果と不一致のデータを、助産師からの要求により自動的に更新できるようにする。これにより、助産師の作業負担を軽減できる。
【０１２４】
ここで、助産師による更新不備を防止するために、カルテのデータを最新の検査結果と同期させておく場合、助産師は最新の検査結果のみしか参照できず、過去の検査結果との比較ができない。そのため、助産師は、患者に対して、どのような処置をすべきかを判断することが困難な場合があった。例えば、助産師は、最新の検査結果のみしか参照できない場合には、最新の検査結果が陰性であっても過去の検査結果が陽性である場合には、検査結果を疑問視して再度の検査を検査部門に依頼するといった判断ができない。
【０１２５】
一方、本実施の形態にかかる産科用コンピュータ１０１では、カルテ内で、最新の検査結果と不一致のデータを強調して表示し、かつ、不一致のデータと最新の検査結果とを切り替えて表示できる。これにより、助産師は、不一致のデータ（過去の検査結果）と最新の検査結果とを切り替えて参照できるようになり、患者に対して、どのような処置をすべきかの判断を容易にできるようになる。
【０１２６】
産科用コンピュータ１０１は、カルテ内で、最新の検査結果と不一致のデータと、最新の検査結果と、を同時に強調して表示する。そのため、助産師は、不一致のデータ（過去の検査結果）と最新の検査結果とを同時に参照できるようになり、患者に対して、どのような処置をすべきかの判断を容易にできるようになる。
【０１２７】
なお、本実施の形態で説明した情報処理方法は、予め用意されたプログラムをパーソナル・コンピュータやワークステーション等のコンピュータで実行することにより実現することができる。本情報処理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本情報処理プログラムは、インターネット等のネットワークを介して配布してもよい。
【０１２８】
上述した実施の形態に関し、さらに以下の付記を開示する。
【０１２９】
（付記１）情報処理装置に、
対象者のカルテ情報の表示要求を受け付け、
前記表示要求が受け付けられた場合、前記カルテ情報に含まれる複数の項目各々について、項目に関する値を記憶する第１の記憶装置から、特定の項目に係る第１の値を取得し、
前記対象者に対応する前記特定の項目に関する第２の値が前記第１の記憶装置とは非同期に登録される第２の記憶装置から前記第２の値を取得し、
取得された前記第１の値と前記第２の値とを比較し、
比較結果に基づいて、前記カルテ情報の表示形態を決定し、
決定された表示形態に基づいて、前記対象者に関する前記特定の項目の前記第１の値と前記第２の値のうち少なくともいずれかを表示する、
処理を実行させることを特徴とする情報処理プログラム。
【０１３０】
（付記２）前記表示形態を決定する処理では、
前記比較結果により、前記第１の値と前記第２の値とが一致しない場合、前記特定の項目についての前記カルテ情報の表示形態を、前記第１の値と前記第２の値とが一致する場合の表示形態とは異なる表示形態に決定することを特徴とする付記１に記載の情報処理プログラム。
【０１３１】
（付記３）前記表示形態を決定する処理では、
前記比較結果により、前記第１の値と前記第２の値とが一致しない場合、前記特定の項目についての前記カルテ情報の表示形態を、前記第１の記憶装置が有する前記第２の記憶装置とは非共通の項目についての前記対象者のカルテ情報の表示形態とは異なる表示形態に決定することを特徴とする付記１に記載の情報処理プログラム。
【０１３２】
（付記４）前記第２の値の反映要求が受け付けられた場合、前記第２の値を前記第１の値に反映させる処理を実行させることを特徴とする付記１〜３のいずれか一つに記載の情報処理プログラム。
【０１３３】
（付記５）前記取得する処理では、
前記表示要求が受け付けられた場合、前記第１の記憶装置から前記第１の値および前記第１の値の作成時点を示す第１の作成時点情報を取得し、前記第２の記憶装置から前記第２の値および前記第２の値の作成時点を示す第２の作成時点情報を取得し、
前記比較する処理では、
前記第１の値と前記第２の値とを比較し、前記第１の作成時点情報と前記第２の作成時点情報とを比較することを特徴とする付記１に記載の情報処理プログラム。
【０１３４】
（付記６）前記表示形態を決定する処理では、
前記比較結果により、前記第１の値と前記第２の値が一致し前記第１の作成時点情報と前記第２の作成時点情報とが一致しない場合、前記特定の項目についての前記カルテ情報の表示形態を、前記第１の値と前記第２の値が一致し前記第１の作成時点情報と前記第２の作成時点情報とが一致する場合の表示形態とは異なる表示形態に決定することを特徴とする付記５に記載の情報処理プログラム。
【０１３５】
（付記７）前記表示形態を決定する処理では、
前記比較結果により、前記第１の値と前記第２の値が一致し、前記第１の作成時点情報と前記第２の作成時点情報とが一致しない場合、前記特定の項目についての前記カルテ情報の表示形態を、前記第１の記憶装置が有する前記第２の記憶装置とは非共通の項目についての前記対象者のカルテ情報の表示形態とは異なる表示形態に決定することを特徴とする付記５に記載の情報処理プログラム。
【０１３６】
（付記８）前記表示する処理では、
決定された表示形態に基づいて、前記第２の値を反映させる対象となる前記第１の値を表示することを特徴とする付記１〜７のいずれか一つに記載の情報処理プログラム。
【０１３７】
（付記９）前記表示する処理では、
決定された表示形態に基づいて、前記第１の値に反映させる対象となる前記第２の値を表示することを特徴とする付記１〜７のいずれか一つに記載の情報処理プログラム。
【０１３８】
（付記１０）前記表示する処理では、
前記第１の値と前記第２の値とを切り替えて表示することを特徴とする付記８または９に記載の情報処理プログラム。
【０１３９】
（付記１１）前記表示する処理では、
決定された表示形態に基づいて、前記第１の値および前記第２の値を表示することを特徴とする付記１〜７のいずれか一つに記載の情報処理プログラム。
【０１４０】
（付記１２）情報処理装置に、
対象者のカルテ情報の表示要求を、他の情報処理装置から受信し、
前記表示要求が受け付けられた場合、前記カルテ情報に含まれる複数の項目各々について、項目に関する値を記憶する第１の記憶装置から、特定の項目に係る第１の値を取得し、
前記対象者に対応する前記特定の項目に関する第２の値が前記第１の記憶装置とは非同期に登録される第２の記憶装置から前記第２の値を取得し、
取得された前記第１の値と前記第２の値とを比較し、
比較結果に基づいて、前記カルテ情報の表示形態を決定し、
決定された表示形態と、前記対象者に関する前記特定の項目の前記第１の値と前記第２の値のうち少なくともいずれかと、を前記他の情報処理装置に送信する、
処理を実行させることを特徴とする情報処理プログラム。
【０１４１】
（付記１３）情報処理装置が、
対象者のカルテ情報の表示要求を受け付け、
前記表示要求が受け付けられた場合、前記カルテ情報に含まれる複数の項目各々について、項目に関する値を記憶する第１の記憶装置から、特定の項目に係る第１の値を取得し、
前記対象者に対応する前記特定の項目に関する第２の値が前記第１の記憶装置とは非同期に登録される第２の記憶装置から前記第２の値を取得し、
取得された前記第１の値と前記第２の値とを比較し、
比較結果に基づいて、前記カルテ情報の表示形態を決定し、
決定された表示形態に基づいて、前記対象者に関する前記特定の項目の前記第１の値と前記第２の値のうち少なくともいずれかを表示する、
処理を実行することを特徴とする情報処理方法。
【０１４２】
（付記１４）情報処理装置が、
対象者のカルテ情報の表示要求を、他の情報処理装置から受信し、
前記表示要求が受け付けられた場合、前記カルテ情報に含まれる複数の項目各々について、項目に関する値を記憶する第１の記憶装置から、特定の項目に係る第１の値を取得し、
前記対象者に対応する前記特定の項目に関する第２の値が前記第１の記憶装置とは非同期に登録される第２の記憶装置から前記第２の値を取得し、
取得された前記第１の値と前記第２の値とを比較し、
比較結果に基づいて、前記カルテ情報の表示形態を決定し、
決定された表示形態と、前記対象者に関する前記特定の項目の前記第１の値と前記第２の値のうち少なくともいずれかと、を前記他の情報処理装置に送信する、
処理を実行することを特徴とする情報処理方法。
【０１４３】
（付記１５）対象者のカルテ情報の表示要求を受け付ける受付部と、
前記受付部によって前記表示要求が受け付けられた場合、前記カルテ情報に含まれる複数の項目各々について、項目に関する値を記憶する第１の記憶装置から、特定の項目に係る第１の値を取得し、前記対象者に対応する前記特定の項目に関する第２の値が前記第１の記憶装置とは非同期に登録される第２の記憶装置から前記第２の値を取得する取得部と、
前記取得部によって取得された前記第１の値と前記第２の値とを比較する比較部と、
前記比較部によって比較された比較結果に基づいて、前記カルテ情報の表示形態を決定する決定部と、
前記決定部によって決定された表示形態に基づいて、前記対象者に関する前記特定の項目の前記第１の値と前記第２の値のうち少なくともいずれかを表示する表示部と、
を備えることを特徴とする情報処理装置。
【０１４４】
（付記１６）対象者のカルテ情報の表示要求を、他の情報処理装置から受信する受信部と、
前記受信部によって前記表示要求が受け付けられた場合、前記カルテ情報に含まれる複数の項目各々について、項目に関する値を記憶する第１の記憶装置から、特定の項目に係る第１の値を取得し、前記対象者に対応する前記特定の項目に関する第２の値が前記第１の記憶装置とは非同期に登録される第２の記憶装置から前記第２の値を取得する取得部と、
前記取得部によって取得された前記第１の値と前記第２の値とを比較する比較部と、
前記比較部によって比較された比較結果に基づいて、前記カルテ情報の表示形態を決定する決定部と、
前記決定部によって決定された表示形態と、前記対象者に関する前記特定の項目の前記第１の値と前記第２の値のうち少なくともいずれかと、を前記他の情報処理装置に送信する送信部と、
を備えることを特徴とする情報処理装置。
【符号の説明】
【０１４５】
１０１  産科用コンピュータ
１０２  検査部門用コンピュータ
１０３  看護ＤＢ
１０４  患者ＤＢ
７０１  受付部
７０２  取得部
７０３  比較部
７０４  決定部
７０５  表示部
７０６  反映部
７０７  受信部
７０８  送信部
【図１】
0005884334.tif 000002
【図２】
0005884334.tif 000003
【図３】
0005884334.tif 000004
【図４】
0005884334.tif 000005
【図５】
0005884334.tif 000006
【図６】
0005884334.tif 000007
【図７】
0005884334.tif 000008
【図８】
0005884334.tif 000009
【図９】
0005884334.tif 000010
【図１０】
0005884334.tif 000011
【図１１】
0005884334.tif 000012
【図１２】
0005884334.tif 000013
【図１３】
0005884334.tif 000014
【図１４】
0005884334.tif 000015
【図１５】
0005884334.tif 000016
【図１６】
0005884334.tif 000017
【図１７】
0005884334.tif 000018